(57)【要約】【課題】３線式の電路（三相電路や単相３線式電路）の結線方式を検出する。【解決手段】基準電位に対する各電路Ｌ１〜Ｌ３についての電圧波形Ｖ１〜Ｖ３を測定する検出プローブ２，３，４および波形測定部５と、各電圧波形Ｖ１〜Ｖ３の波形データＤｖ１〜Ｄｖ３に基づいて各電路Ｌ１〜Ｌ３の電圧値を第１電圧値、第２電圧値および第３電圧値として測定する電圧測定処理、第１電圧値、第２電圧値および第３電圧値のうちの基準電位と異なり、かつ互いに同等の２つの電圧値に対応する電圧波形Ｖ１〜Ｖ３のうちの２つの波形間の位相角を測定する位相角測定処理、位相角が６０°のときに結線方式がデルタ結線方式であると検出する第１検出処理、位相角が１２０°のときに結線方式がスター結線方式であると検出する第２検出処理、および位相角が１８０°のときに結線方式が単相３線結線方式であると検出する第３検出処理を実行する処理部６とを備えている。【選択図】図１
2018036170.tif 000002
【特許請求の範囲】
【請求項１】
３線式の３つの電路の結線方式を検出する結線方式検出装置であって、
基準電位に対する前記３つの電路についての電圧波形を第１波形、第２波形および第３波形として測定する波形測定部と、
前記測定した第１波形、第２波形および第３波形に基づいて前記３つの電路の電圧値をそれぞれ第１電圧値、第２電圧値および第３電圧値として測定する電圧測定部と、
前記第１電圧値、前記第２電圧値および前記第３電圧値のうちの前記基準電位と異なり、かつ互いに同等の２つの電圧値に対応する前記第１波形、前記第２波形および前記第３波形のうちの２つの波形間の位相角を測定する位相角測定部と、
前記位相角が６０°のときに前記結線方式がデルタ結線方式であると検出する第１検出処理、前記位相角が１２０°のときに前記結線方式がスター結線方式であると検出する第２検出処理、および前記位相角が１８０°のときに前記結線方式が単相３線結線方式であると検出する第３検出処理のうちの少なくとも１つの検出処理を実行する処理部とを備えている結線方式検出装置。
【請求項２】
前記処理部は、前記第１検出処理、前記第２検出処理および前記第３検出処理を実行する請求項１記載の結線方式検出装置。
【請求項３】
前記処理部は、前記位相角が１２０°のときであって、前記第１電圧値、前記第２電圧値および前記第３電圧値のうちの前記互いに同等の２つの電圧値以外の１つの電圧値が当該２つの電圧値と異なるときに、前記３つの電路のうちの当該１つの電圧値に対応する電路が欠相していると検出する第４検出処理を実行する請求項１または２記載の結線方式検出装置。
【請求項４】
３線式の３つの電路の結線方式を検出する結線方式検出方法であって、
基準電位に対する前記３つの電路についての電圧波形を第１波形、第２波形および第３波形として測定する波形測定処理と、
前記測定した第１波形、第２波形および第３波形に基づいて前記３つの電路の電圧値をそれぞれ第１電圧値、第２電圧値および第３電圧値として測定する電圧測定処理と、
前記第１電圧値、前記第２電圧値および前記第３電圧値のうちの前記基準電位と異なり、かつ互いに同等の２つの電圧値に対応する前記第１波形、前記第２波形および前記第３波形のうちの２つの波形間の位相角を測定する位相角測定処理と、
前記位相角が６０°のときに前記結線方式がデルタ結線方式であると検出する第１検出処理、前記位相角が１２０°のときに前記結線方式がスター結線方式であると検出する第２検出処理、および前記位相角が１８０°のときに前記結線方式が単相３線結線方式であると検出する第３検出処理のうちの少なくとも１つの検出処理とを実行する結線方式検出方法。
【請求項５】
前記第１検出処理、前記第２検出処理および前記第３検出処理を実行する請求項４記載の結線方式検出方法。
【請求項６】
前記位相角が１２０°のときであって、前記第１電圧値、前記第２電圧値および前記第３電圧値のうちの前記互いに同等の２つの電圧値以外の１つの電圧値が当該２つの電圧値と異なるときに、前記３つの電路のうちの当該１つの電圧値に対応する電路が欠相していると検出する第４検出処理を実行する請求項４または５記載の結線方式検出方法。
【発明の詳細な説明】
【技術分野】
【０００１】
本発明は、３線式の３つの電路（三相電路や単相３線式電路）の結線方式を検出する結線方式検出装置および結線方式検出方法に関するものである。
【背景技術】
【０００２】
この種の電路（例えば、三相電路）を検査対象とする装置としては、本願出願人が下記の特許文献１において開示したような装置（三相交流検査装置）が知られている。この装置では、波形整形回路が、Ｒ相波形、Ｓ相波形およびＴ相波形を所定の閾値とそれぞれ比較してアクティブのときのデューティ比が５０％よりも小さく、かつ三相交流に欠相が発生していないときに互いのアクティブ期間がオーバーラップするディジタル信号を各相波形に同期させて出力し、遅延回路が１のディジタル信号を遅延させる。また、第１のフリップフロップ回路が、遅延した１のディジタル信号の非アクティブからアクティブへの遷移に同期して、１のディジタル信号に対して位相の進んでいる一方のディジタル信号のロジック状態を検出して出力し、第２のフリップフロップ回路が、１のディジタル信号の非アクティブからアクティブへの遷移に同期して、各ディジタル信号のうちの１のディジタル信号に対して位相の遅れている他方のディジタル信号のロジック状態を検出して出力し、クリア回路が各ディジタル信号のロジック状態がすべて非アクティブのときに各フリップフロップ回路に対してその出力信号を非アクティブにさせるクリア信号を出力する。この構成により、この装置によれば、各フリップフロップ回路の出力信号および反転出力信号の各ロジック状態に基づいて、デルタ結線された三相交流線路およびスター結線された三相交流線路についての相順および欠相を確実に検査（検出）することが可能となっている。
【先行技術文献】
【特許文献】
【０００３】
【特許文献１】特許第４６４１７５０号公報 （第３頁）
【発明の概要】
【発明が解決しようとする課題】
【０００４】
ところが、上記した装置（三相交流検査装置）には、以下のような改善すべき課題が存在している。すなわち、上記のような３線式の電路について検査する作業者にとってこの電路の結線方式についても装置で自動的に検出可能となっていれば便利であるが、上記の装置には、結線方式を検出する機能がないため、不便であるという改善すべき課題が存在している。
【０００５】
本発明は、かかる課題を改善するためになされたものであり、３線式の電路（三相電路や単相３線式電路）の結線方式を検出し得る結線方式検出装置および結線方式検出方法を提供することを主目的とする。
【課題を解決するための手段】
【０００６】
上記目的を達成すべく請求項１記載の結線方式検出装置は、３線式の３つの電路の結線方式を検出する結線方式検出装置であって、基準電位に対する前記３つの電路についての電圧波形を第１波形、第２波形および第３波形として測定する波形測定部と、前記測定した第１波形、第２波形および第３波形に基づいて前記３つの電路の電圧値をそれぞれ第１電圧値、第２電圧値および第３電圧値として測定する電圧測定部と、前記第１電圧値、前記第２電圧値および前記第３電圧値のうちの前記基準電位と異なり、かつ互いに同等の２つの電圧値に対応する前記第１波形、前記第２波形および前記第３波形のうちの２つの波形間の位相角を測定する位相角測定部と、前記位相角が６０°のときに前記結線方式がデルタ結線方式であると検出する第１検出処理、前記位相角が１２０°のときに前記結線方式がスター結線方式であると検出する第２検出処理、および前記位相角が１８０°のときに前記結線方式が単相３線結線方式であると検出する第３検出処理のうちの少なくとも１つの検出処理を実行する処理部とを備えている。
【０００７】
また、請求項２記載の結線方式検出装置は、請求項１記載の結線方式検出装置において、前記処理部は、前記第１検出処理、前記第２検出処理および前記第３検出処理を実行する。
【０００８】
また、請求項３記載の結線方式検出装置は、請求項１または２記載の結線方式検出装置において、前記処理部は、前記位相角が１２０°のときであって、前記第１電圧値、前記第２電圧値および前記第３電圧値のうちの前記互いに同等の２つの電圧値以外の１つの電圧値が当該２つの電圧値と異なるときに、前記３つの電路のうちの当該１つの電圧値に対応する電路が欠相していると検出する第４検出処理を実行する。
【０００９】
また、請求項４記載の結線方式検出方法は、３線式の３つの電路の結線方式を検出する結線方式検出方法であって、基準電位に対する前記３つの電路についての電圧波形を第１波形、第２波形および第３波形として測定する波形測定処理と、前記測定した第１波形、第２波形および第３波形に基づいて前記３つの電路の電圧値をそれぞれ第１電圧値、第２電圧値および第３電圧値として測定する電圧測定処理と、前記第１電圧値、前記第２電圧値および前記第３電圧値のうちの前記基準電位と異なり、かつ互いに同等の２つの電圧値に対応する前記第１波形、前記第２波形および前記第３波形のうちの２つの波形間の位相角を測定する位相角測定処理と、前記位相角が６０°のときに前記結線方式がデルタ結線方式であると検出する第１検出処理、前記位相角が１２０°のときに前記結線方式がスター結線方式であると検出する第２検出処理、および前記位相角が１８０°のときに前記結線方式が単相３線結線方式であると検出する第３検出処理のうちの少なくとも１つの検出処理とを実行する。
【００１０】
また、請求項５記載の結線方式検出方法は、請求項４記載の結線方式検出方法において、前記第１検出処理、前記第２検出処理および前記第３検出処理を実行する。
【００１１】
また、請求項６記載の結線方式検出方法は、請求項４または５記載の結線方式検出方法において、前記位相角が１２０°のときであって、前記第１電圧値、前記第２電圧値および前記第３電圧値のうちの前記互いに同等の２つの電圧値以外の１つの電圧値が当該２つの電圧値と異なるときに、前記３つの電路のうちの当該１つの電圧値に対応する電路が欠相していると検出する第４検出処理を実行する。
【発明の効果】
【００１２】
請求項１記載の結線方式検出装置および請求項３記載の結線方式検出方法によれば、三相電路や単相３線式電路などの３線式の電路の結線方式を確実に検出することができる。特に、この結線方式検出装置によれば、３線式の電路の結線方式を自動的に検出することができるため、このような電路についての検査や工事を行う作業者にとってとても便利である。
【００１３】
請求項２記載の結線方式検出装置および請求項４記載の結線方式検出方法によれば、第１検出処理、第２検出処理および第３検出処理を実行するため、３線式の電路が、デルタ結線方式、スター結線方式および単相３線式の結線方式のうちのいずれの結線方式の電路であっても、その結線方式を確実に検出することができる。
【００１４】
請求項３記載の結線方式検出装置および請求項５記載の結線方式検出方法によれば、第４検出処理を実行するため、３線式の電路が、これらの電路のうちの１つにのみ異常が生じている（欠相が生じている）スター結線方式であることを確実に検出することができる。
【図面の簡単な説明】
【００１５】
【図１】結線方式検出装置１の構成図である。
【図２】デルタ結線方式の各電路Ｌ１，Ｌ２，Ｌ３の構成図である。
【図３】スター結線方式の各電路Ｌ１，Ｌ２，Ｌ３の構成図である。
【図４】単相３線式の結線方式の各電路Ｌ１，Ｌ２，Ｌ３の構成図である。
【図５】スター結線方式の各電路Ｌ１，Ｌ２，Ｌ３がすべて正常なときと、このうちの電路Ｌ３のみが異常なときの各電圧波形Ｖ１，Ｖ２，Ｖ３間の位相角θおよび各電圧値Ｖ１ａ，Ｖ２ａ，Ｖ３ａを説明する説明図である。
【発明を実施するための形態】
【００１６】
以下、結線方式検出装置および結線方式検出方法の実施の形態について、添付図面を参照して説明する。
【００１７】
最初に、結線方式検出装置の構成について、図面を参照して説明する。
【００１８】
結線方式検出装置の一例である図１に示す結線方式検出装置１は、３つの検出プローブ２，３，４、波形測定部５、処理部６および出力部７を備え、３線式の電路Ｌ１，Ｌ２，Ｌ３の結線方式を検出する。この場合、各電路Ｌ１，Ｌ２，Ｌ３は、予め規定された一定周波数の正弦波電圧（例えば、商用交流電圧など）が供給される電路である。また、検出する各電路Ｌ１，Ｌ２，Ｌ３の結線方式としては、図２に示すデルタ結線方式（Ｓ相である電路Ｌ２が後述のグランドＧに接地された状態でのデルタ結線方式）、図３に示すスター結線方式（中性点がグランドＧに接地された状態でのスター結線方式）、および図４に示す単相３線式の結線方式（中性線としての電路Ｌ３がグランドＧに接地された状態での単相３線式の結線方式）のうちのいずれかであるものとする。なお、このスター結線方式の３線式の電路Ｌ１，Ｌ２，Ｌ３には、図示はしないが、この３線式の電路Ｌ１，Ｌ２，Ｌ３と共に、中性点に接続された中性線で構成される三相４線式の電路も含まれるものとする。
【００１９】
各検出プローブ２，３，４は、それぞれ、電路Ｌ１，Ｌ２，Ｌ３に１つずつ取り付けられて、取り付けられた電路の電圧波形（電路Ｌ１の第１波形としての電圧波形Ｖ１，電路Ｌ２の第２波形としての電圧波形Ｖ２，電路Ｌ３の第３波形としての電圧波形Ｖ３）を基準電位（本例ではグランドＧの電位）を基準としてリアルタイムで検出して出力する。この場合、検出プローブ２は、電路に取り付けられた状態において、その不図示の検出電極がこの電路における不図示の導体部（例えば、電路の芯線）と電気的に接触することで、この導体部に生じている電圧波形を出力する構成であってもよいし、この検出電極が電路のこの導体部とは電気的に接触せずに電路の絶縁被覆などを介して容量結合することで、この導体部に生じている電圧波形を出力する構成であってもよい。他の検出プローブ３，４についても、検出プローブ２と同様に構成されている。
【００２０】
波形測定部５は、例えば、アンプおよびＡ／Ｄ変換器（いずれも図示せず）を備えて構成されて、各検出プローブ２，３，４から出力される電圧波形Ｖ１，Ｖ２，Ｖ３を入力すると共に一定の周期でサンプリングすることにより、電圧波形Ｖ１を示す波形データＤｖ１、電圧波形Ｖ２を示す波形データＤｖ２および電圧波形Ｖ３を示す波形データＤｖ３に変換して処理部６に出力する。なお、上記の各検出プローブ２，３，４による各電圧波形Ｖ１，Ｖ２，Ｖ３の検出処理、およびこの波形測定部５による各波形データＤｖ１，Ｄｖ２，Ｄｖ３への変換処理をまとめて、各電圧波形Ｖ１，Ｖ２，Ｖ３の波形測定処理というものとする。
【００２１】
処理部６は、例えば、記憶部を備えたコンピュータ（いずれも図示せず）を備えて構成されて、電圧測定処理、位相角測定処理、第１検出処理、第２検出処理、第３検出処理、第４検出処理および出力処理を実行する。電圧測定処理では、処理部６は、電圧波形Ｖ１，Ｖ２，Ｖ３に基づいて（具体的には、電圧波形Ｖ１，Ｖ２，Ｖ３を示す波形データＤｖ１，Ｄｖ２，Ｄｖ３に基づいて）、３つの電路Ｌ１，Ｌ２，Ｌ３の電圧値を第１電圧値Ｖ１ａ、第２電圧値Ｖ２ａおよび第３電圧値Ｖ３ａとして測定する。また、位相角測定処理では、処理部６は、各電圧値Ｖ１ａ，Ｖ２ａ，Ｖ３ａのうちの基準電位と異なり、かつ互いに同等の２つの電圧値に対応する電圧波形Ｖ１，Ｖ２，Ｖ３のうちの２つの波形（電圧波形）間の位相角θを測定する。なお、２つの電圧波形間の位相角θの測定においては、例えば、各電圧波形についての同種のゼロクロス点（例えば、一方の電圧波形について立ち上がりゼロクロス点とするときには、他方の電圧波形についても同種の立ち上がりゼロクロス点とする）間の時間ｔ１を計測すると共に電圧波形の１周期ｔ２を計測し（電圧波形の周期ｔ２が既知であればそれを使用し）、３６０°×ｔ１／ｔ２の式から位相角θを測定するなど、種々の公知の測定方法を採用することができる。
【００２２】
また、処理部６は、第１検出処理、第２検出処理、第３検出処理および第４検出処理については、位相角θを測定し得たときに実行する。この場合、第１検出処理では、処理部６は、位相角θが６０°のときに３つの電路Ｌ１，Ｌ２，Ｌ３の結線方式がデルタ結線方式であると検出する。また、第２検出処理では、処理部６は、位相角θが１２０°のときに３つの電路Ｌ１，Ｌ２，Ｌ３の結線方式がスター結線方式であると検出する。また、第３検出処理では、処理部６は、位相角θが１８０°のときに３つの電路Ｌ１，Ｌ２，Ｌ３の結線方式が単相３線結線方式であると検出する。また、第４検出処理では、処理部６は、位相角θが１２０°のときであって、各電圧値Ｖ１ａ，Ｖ２ａ，Ｖ３ａのうちの互いに同等の２つの電圧値以外の１つの電圧値がこの２つの電圧値と異なるときに、３つの電路Ｌ１，Ｌ２，Ｌ３の結線方式がスター結線方式であり、かつ３つの電路Ｌ１，Ｌ２，Ｌ３のうちのこの１つの電圧値に対応する電路が欠相していると検出する。
【００２３】
出力部７は、一例として、ＬＣＤなどのディスプレイ装置で構成されて、処理部６から出力された結線方式の検出結果を画面に表示する。なお、出力部７は、ディスプレイ装置に代えて、種々のインターフェース回路で構成してもよく、例えば、メディアインターフェース回路としてリムーバブルメディアに検出結果を記憶させたり、ネットワークインターフェース回路としてネットワーク経由で外部装置に検出結果を伝送させたりする構成を採用することもできる。
【００２４】
次に、結線方式検出装置１の動作を、結線方式検出方法と併せて図面を参照して説明する。なお、図１に示すように、一例として、検出プローブ２は電路Ｌ１に、検出プローブ３は電路Ｌ２に、検出プローブ４は電路Ｌ３にそれぞれ取り付けられているものとする。
【００２５】
この状態において、結線方式検出装置１では、まず、検出プローブ２が電路Ｌ１の電圧波形Ｖ１を検出して波形測定部５に出力し、検出プローブ３が電路Ｌ２の電圧波形Ｖ２を検出して波形測定部５に出力し、検出プローブ４が電路Ｌ３の電圧波形Ｖ３を検出して波形測定部５に出力する。
【００２６】
次いで、波形測定部５が、各検出プローブ２，３，４から出力される電圧波形Ｖ１，Ｖ２，Ｖ３を入力すると共に、電圧波形Ｖ１を示す波形データＤｖ１、電圧波形Ｖ２を示す波形データＤｖ２および電圧波形Ｖ３を示す波形データＤｖ３に変換して処理部６に出力する。
【００２７】
続いて、処理部６は、電圧測定処理を実行する。これにより、処理部６は、電圧測定部として機能して、波形データＤｖ１に基づいて電路Ｌ１についての第１電圧値Ｖ１ａを測定し、波形データＤｖ２に基づいて電路Ｌ２についての第２電圧値Ｖ２ａを測定し、波形データＤｖ３に基づいて電路Ｌ３についての第３電圧値Ｖ３ａを測定する。この場合、処理部６は、各電圧値Ｖ１ａ，Ｖ２ａ，Ｖ３ａとして、電圧波形Ｖ１，Ｖ２，Ｖ３についての実効値、平均値（半周期分の平均値）および最大値のいずれかを測定する。
【００２８】
次いで、処理部６は、位相角測定処理を実行する。これにより、処理部６は、位相角測定部として機能して、各電圧値Ｖ１ａ，Ｖ２ａ，Ｖ３ａのうちの基準電位と異なり、かつ互いに同等の２つの電圧値に対応する電圧波形Ｖ１，Ｖ２，Ｖ３のうちの２つの波形（電圧波形）間の位相角θを測定する。
【００２９】
具体的には、各電路Ｌ１，Ｌ２，Ｌ３の結線方式が図２に示すデルタ結線方式であり、かついずれの電路Ｌ１，Ｌ２，Ｌ３も正常なとき（欠相していないとき）には、電圧値Ｖ２ａは基準電位となり、２つの電圧値Ｖ１ａ，Ｖ３ａは互いに同等の電圧値となる。このため、処理部６は、電圧波形Ｖ１，Ｖ２，Ｖ３のうちのこの２つの電圧値Ｖ１ａ，Ｖ３ａに対応する電圧波形Ｖ１，Ｖ３間の位相角θを測定する。この場合、デルタ結線方式であるため、処理部６は位相角θを６０°と測定する。
【００３０】
また、各電路Ｌ１，Ｌ２，Ｌ３の結線方式が図３に示すスター結線方式であり、かついずれの電路Ｌ１，Ｌ２，Ｌ３も正常なとき（欠相していないとき）には、各電圧値Ｖ１ａ，Ｖ２ａ，Ｖ３ａはいずれも互いに同等の電圧値となる。このため、処理部６は、各電圧値Ｖ１ａ，Ｖ２ａ，Ｖ３ａのうちの任意の２つの電圧値に対応する電圧波形間の位相角θ（本例では一例として、電圧値Ｖ１ａ，Ｖ２ａに対応する電圧波形Ｖ１，Ｖ２間の位相角）を測定する。この場合、スター結線方式であるため、処理部６は位相角θを１２０°と測定する。
【００３１】
また、各電路Ｌ１，Ｌ２，Ｌ３の結線方式が図４に示す単相３線式の結線方式であり、かついずれの電路Ｌ１，Ｌ２，Ｌ３も正常なとき（欠相していないとき）には、電圧値Ｖ３ａは基準電位となり、２つの電圧値Ｖ１ａ，Ｖ２ａは互いに同等の電圧値となる。このため、処理部６は、電圧波形Ｖ１，Ｖ２，Ｖ３のうちのこの２つの電圧値Ｖ１ａ，Ｖ２ａに対応する電圧波形Ｖ１，Ｖ２間の位相角θを測定する。この場合、単相３線式の結線方式であるため、処理部６は位相角θを１８０°と測定する。
【００３２】
続いて、処理部６は、第１検出処理、第２検出処理および第３検出処理を実行する。この第１検出処理では、処理部６は、位相角測定処理で測定した位相角θが６０°のときには上記したように３つの電路Ｌ１，Ｌ２，Ｌ３の結線方式がデルタ結線方式とみなせるため、各電路Ｌ１，Ｌ２，Ｌ３の結線方式はデルタ結線方式であると検出する。また、この第２検出処理では、処理部６は、位相角測定処理で測定した位相角θが１２０°のときには上記したように３つの電路Ｌ１，Ｌ２，Ｌ３の結線方式がスター結線方式とみなせるため、各電路Ｌ１，Ｌ２，Ｌ３の結線方式はスター結線方式であると検出する。また、この第３検出処理では、処理部６は、位相角測定処理で測定した位相角θが１８０°のときには上記したように３つの電路Ｌ１，Ｌ２，Ｌ３の結線方式が単相３線式の結線方式とみなせるため、各電路Ｌ１，Ｌ２，Ｌ３の結線方式は単相３線式の結線方式であると検出する。
【００３３】
また、処理部６は、第１検出処理、第２検出処理および第３検出処理を実行する構成として、この３つの検出処理を常にすべて実行する構成を採用することもできるが、この構成に代えて、第１検出処理、第２検出処理および第３検出処理のうちの最初に実行する検出処理において結線方式を検出できないときにのみ２番目に実行する検出処理を実行し、この２番目の検出処理において結線方式を検出できないときにのみ３番目に実行する検出処理を実行する構成を採用することもできる。また、電路Ｌ１，Ｌ２，Ｌ３の結線方式が、デルタ結線方式、スター結線方式および単相３線式の結線方式のうちのいずれか２つのどちらか（デルタ結線方式およびスター結線方式のどちらか、スター結線方式および単相３線式の結線方式のどちらか、またはデルタ結線方式および単相３線式の結線方式のどちらか）であるときには、この２つを検出し得る２つの検出処理だけを実行する構成を採用することもできる。
【００３４】
また、３つの電路Ｌ１，Ｌ２，Ｌ３の結線方式がスター結線方式のときには、電路Ｌ１，Ｌ２，Ｌ３がすべて正常なとき（欠相していないとき）の各電圧波形Ｖ１，Ｖ２，Ｖ３は、図５において実線で示すように、各電圧値Ｖ１ａ，Ｖ２ａ，Ｖ３ａがすべて同等（Ｖ１ａ＝Ｖ２ａ＝Ｖ３ａ）で、かつ互いの位相角θが１２０°であるのに対して、３つの電路Ｌ１，Ｌ２，Ｌ３のうちのいずれか１つが異常なとき（欠相しているとき）には、この異常な１つの電路についての電圧波形の電圧値が、他の正常な２つの電路についての電圧波形の電圧値よりも小さくなり、かつこの異常な１つの電路についての電圧波形と他の正常な２つの電路についての電圧波形との間の位相角θが１２０°とは異なる角度となる。具体例を挙げて説明すると、電路Ｌ３のみが異常なときには、図５において破線で示すように、電路Ｌ３には、他の２つの電路Ｌ１，Ｌ２の各電圧波形Ｖ１，Ｖ２の影響を受けて、各電圧値Ｖ１ａ，Ｖ２ａよりも小さい電圧値の誘導電圧波形Ｖ３ｉｎが発生する。また、この誘導電圧波形Ｖ３ｉｎは、各電圧波形Ｖ１，Ｖ２の影響を受けたものであるため、電圧波形Ｖ１，Ｖ２間の位相角θ（＝１２０°）の間に現れる。
【００３５】
したがって、処理部６は、電路Ｌ１，Ｌ２，Ｌ３の結線方式がスター結線方式であって、かつ１つの電路のみが異常となったときの上記の２つの特徴点（異常な１つの電路についての電圧波形の電圧値が、他の正常な２つの電路についての電圧波形の電圧値よりも小さくなるという電圧値に関する特徴点と、異常な１つの電路についての電圧波形（誘導電圧波形）が、他の正常な２つの電路についての電圧波形間の位相角θの間に現れるという位相角に関する特徴点）のうちのいずれかを利用して、電路Ｌ１，Ｌ２，Ｌ３が、１つの電路に異常が生じた（欠相が生じた）状態のスター結線方式であると検出することもできる。この場合、電路Ｌ１，Ｌ２，Ｌ３の各電圧値Ｖ１ａ，Ｖ２ａ，Ｖ３ａについては、電圧測定処理において既に測定が行われている。このことから、上記の電圧に関する特徴点を利用した検出処理を採用するのが好ましい。
【００３６】
具体的には、処理部６は、この検出処理として第４検出処理を実行する。この第４検出処理では、処理部６は、位相角測定処理で測定した位相角θが１２０°のときであって、各電圧値Ｖ１ａ，Ｖ２ａ，Ｖ３ａのうちの互いに同等の２つの電圧値（例えば図５に示すように電路Ｌ３が異常なときには、互いに同等の２つの電圧値Ｖ１ａ，Ｖ２ａ）以外の１つの電圧値（異常が生じている電路Ｌ３に生じる誘導電圧波形Ｖ３ｉｎの電圧値Ｖ３ａ）がこの２つの電圧値Ｖ１ａ，Ｖ２ａと異なるときに、３つの電路Ｌ１，Ｌ２，Ｌ３のうちのこの１つの電圧値Ｖ３ａに対応する電路Ｌ３が欠相していると検出する。
【００３７】
最後に、処理部６は、出力処理を実行して、上記の検出処理（第１検出処理〜第３検出処理）において検出した検出結果を出力部７に出力する。本例では、出力部７は、ディスプレイ装置で構成されているため、処理部６から出力された結線方式の検出結果を画面に表示する。この場合、処理部６は、図示はしないが、検出結果がデルタ結線方式のときには、デルタ結線方式を示す記号（例えば「Δ」）および文字（「デルタ｝）のうちの少なくとも一方を表示させる。また、処理部６は、図示はしないが、検出結果がスター結線方式のときには、スター結線方式を示す記号（例えば「Ｙ」）および文字（「スター）のうちの少なくとも一方を表示させる。また、処理部６は、図示はしないが、検出結果が単相３線式の結線方式のときには、単相３線式の結線方式を示す文字（例えば「１Ｐ３Ｗ」）を表示させる。また、処理部６は、上記の結線方式の検出結果の表示に際して、各電路Ｌ１，Ｌ２，Ｌ３が正常である旨についても併せて表示させることもできる。
【００３８】
一方、処理部６は、上記の第４検出処理を実行して検出結果がスター結線方式であることを検出したときには、出力処理において、スター結線方式を示す記号（例えば「Ｙ」）および文字（「スター）のうちの少なくとも一方を表示させると共に、異常が生じている電路を示す情報（例えば電路を示す記号）を出力部７の画面に表示させる。
【００３９】
このように、この結線方式検出装置１および結線方式検出方法によれば、三相電路や単相３線式電路などの３線式の電路Ｌ１，Ｌ２，Ｌ３の結線方式を確実に検出することができる。特に、この結線方式検出装置１によれば、３線式の電路Ｌ１，Ｌ２，Ｌ３の結線方式を自動的に検出することができるため、このような電路についての検査や工事を行う作業者にとってとても便利である。
【００４０】
また、この結線方式検出装置１および結線方式検出方法によれば、上記の第１検出処理、第２検出処理および第３検出処理を実行する構成を採用することにより、３線式の電路Ｌ１，Ｌ２，Ｌ３が、デルタ結線方式、スター結線方式および単相３線式の結線方式のうちのいずれの結線方式の電路であっても、その結線方式を確実に検出することができる。
【００４１】
また、この結線方式検出装置１および結線方式検出方法によれば、第４検出処理を実行する構成を採用することにより、３線式の電路Ｌ１，Ｌ２，Ｌ３が、これらの電路Ｌ１，Ｌ２，Ｌ３のうちの１つにのみ異常が生じている（欠相が生じている）スター結線方式であることを確実に検出することができる。
【００４２】
なお、上記の結線方式検出装置１では、処理部６が、電圧測定部および位相角測定部としても機能する構成を採用しているが、電圧測定部を処理部６とは別体に配設したり、電圧測定部および位相角測定部を処理部６とは別体に配設したりする構成を採用することもできる。また、上記した３線式の電路Ｌ１，Ｌ２，Ｌ３についての結線方式を検出する機能については、上記したような専用の結線方式検出装置１として実現することもできるし、電路Ｌ１，Ｌ２，Ｌ３についての位相を検出する位相検出装置（検相装置）に組み込んだり、電路Ｌ１，Ｌ２，Ｌ３についての電力や波形を観測する観測装置に組み込んだりすることもできる。
【符号の説明】
【００４３】
１  結線方式検出装置
２，３，４  検出プローブ
５  波形測定部
６  処理部
Ｌ１，Ｌ２，Ｌ３  電路
Ｖ１，Ｖ２，Ｖ３  電圧波形
【図１】
2018036170.tif 000003
【図２】
2018036170.tif 000004
【図３】
2018036170.tif 000005
【図４】
2018036170.tif 000006
【図５】
2018036170.tif 000007